(57)【要約】      （修正有）【課題】付箋紙の収納と取り出しに便利であり、かつ該付箋紙が標示する物品を遮蔽しない付箋セットを提供する。【解決手段】台紙１と及び該台紙に貼付して収納する複数の付箋紙２とを含んでなり、該台紙は中央で折ることで左右対称の折り畳み状を呈し、かつ折り畳んだ状態での外側の面は、一方に貼付領域を形成し、他方は広告、キャッチフレーズなどなどの印刷に供する表示領域とし、該台紙の折り畳んだ状態における内側の面には、端縁部に粘着領域１３を形成し、該付箋紙は、貼付部２１と該貼付部に連なるデザイン部２２とを含んでなり、該貼付部は光透過性の材質によってなり、かつ上面を適宜な面積の記入領域とし、背面に適宜な面積の粘着層を形成し、該デザイン部は該貼付部の一端が延伸して形成され、異なる形状の外縁部を有し、表面に異なる図案、または色を印刷する。【選択図】図２
0003224818.tif 000002
【実用新案登録請求の範囲】
【請求項１】
台紙と及び該台紙に貼付して収納する複数の付箋紙とを含んでなり、
該台紙は中央で折ることで左右対称の折り畳み状を呈し、かつ折り畳んだ状態での外側の面は、一方に貼付領域を形成し、他方は広告、キャッチフレーズなどなどの印刷に供する表示領域とし、該台紙の折り畳んだ状態における内側の面には、端縁部に粘着領域を形成し、
該付箋紙は、貼付部と該貼付部に連なるデザイン部とを含んでなり、該貼付部は光透過性の材質によってなり、かつ上面を適宜な面積の記入領域とし、背面に適宜な面積の粘着層を形成し、該デザイン部は該貼付部の一端が延伸して形成され、異なる形状の外縁部を有し、表面に異なる図案、  または色を印刷してなることを特徴とする付箋セット。
【請求項２】
前記台紙表面の貼付領域と内側の面の端縁部の粘着領域が、重複して貼付できる弱粘着性の接着剤層を形成してなることを特徴とする請求項１に記載の付箋セット。
【請求項３】
前記付箋紙の背面の粘着層が、重複して貼付できる弱粘着性の接着剤層であることを特徴とする請求項１に記載の付箋セット。
【請求項４】
前記台紙表面の貼付領域に剥離紙を貼付することを特徴とする請求項１に記載の付箋セット。
【考案の詳細な説明】
【技術分野】
【０００１】
この考案は付箋に関し、特に付箋紙と該付箋紙を収納する台紙とによってなる付箋セットに関する。
【背景技術】
【０００２】
一般に、重要な事項、又は処理を行なう予定の事項は、随時注意を払うために、これら事項を付箋などに記入し、かつ異なる物品（例えば壁、掲示板、キャビネット、もしくは本やノートなど）に貼付し、随時注意の喚起の効果をえるとともに、重複して使用するという目的を達成する。例えば、図１に開示するように、従来の付箋３は通常短冊状を呈し、かつ積み重ねられる。付箋３の上面に重要事項を記入し、剥がしてそれぞれ異なる物品に貼付する。但し、従来の付箋３は積層されているため収納に不便であり、しかも不透明状であるため、記入した後で標示する物品に貼付すると、該物品上を遮蔽することになり、この点が使用上の欠点となる。
【考案の概要】
【考案が解決しようとする課題】
【０００３】
この考案は、付箋紙と該付箋紙を収納する台紙とによってなり、付箋紙の収納と取り出しに便利であり、かつ該付箋紙が標示する物品を遮蔽しない付箋セットを提供することを課題とする。
【課題を解決するための手段】
【０００４】
そこで、本考案者は、斯業に長年従事した経験に基づき、絶え間ない研究と実験を行なった結果、付箋として使用上便利で、かつＮ回貼付可能な本考案の付箋を完成させた。即ち、この考案による付箋セットは、台紙と及び該台紙に貼付して収納された複数の付箋紙とを含んでなり、該台紙は中央で折ることで左右対称の折り畳み状を呈し、かつ折り畳んだ状態での外側の面は、一方に貼付領域を形成し、他方は広告、キャッチフレーズなどなどの印刷に供する標示領域とするとともに、該台紙の折り畳んだ状態における内側の面には、端縁部に粘着領域を形成し、該付箋紙は、貼付部と該貼付部に連なるデザイン部とを含んでなり、該貼付部は光透過性の材質によってなり、かつ上面を適宜な面積の記入領域とし、背面に適宜な面積の粘着層を形成し、該デザイン部は該貼付部の一端が延伸して形成され、該貼付部とは異なる形状の外縁部を有し、表面に図案、または色を印刷してなり、使用時には使用時には折り畳んだ状態の該台紙の貼付領域を本、又はその他の物品に貼付し、該付箋紙を以って標示を行なう場合は、該付箋紙の貼付部上面に記入し、さらに記入した該付箋紙を該台紙の内側の面から剥がして背面を他の物品に粘着することによって標示の作用が得られ、かつ該貼付部は光透過性の材質によってなるため、粘着対象物を遮蔽することなく、さらに該デザイン部を設けることによって該付箋紙がさらに好ましい外観が得られ、かつ注意喚起の効果が更に高まる。
【０００５】
前記台紙表面の貼付領域と内側の面の端縁部の粘着領域は、重複して貼付できる弱粘着性の接着剤層を形成してなる。
【０００６】
前記付箋紙の背面の粘着層が、重複して貼付できる弱粘着性の接着剤層である。
【図面の簡単な説明】
【０００７】
【図１】従来の付箋を示した斜視図である。
【図２】この考案における付箋紙と台紙とを示した斜視図である。
【図３】この考案の付箋セットを他の角度から見た斜視図である。
【図４】この考案による付箋セットの使用態様を示した説明図である。
【図５】この考案による付箋紙に印刷をした例を示した斜視図である。
【図６】図５に開示する付箋紙の使用態様を示した説明図である。
【考案を実施するための形態】
【実施例】
【０００８】
図２、３に、この考案による付箋セットの斜視図を開示する。図面に開示するように、この考案は、台紙１と及び台紙１に貼付して収納する複数の付箋紙２とを含む。台紙１は、中央で折ることで左右対称の折り畳み状を呈する。折り畳んだ状態での外側の面は、一方に貼付領域１１（繰り返して粘着させることのできる弱粘着性接着剤層）を形成し、かつ貼付領域１１に剥離紙１２を貼付するとともに、他方は、広告、キャッチフレーズなどなどの印刷に供する表示領域とする。また、折り畳んだ状態における内側の面には、端縁部に粘着領域１３（複数回粘着させることのできる弱粘着性接着剤層）を形成する。
【０００９】
付箋紙２は、貼付部２１と、貼付部２１に連なるデザイン部２２とを含む。貼付部２１は光透過性の材質によってなり、上面は適宜な面積の記入領域となり、その背面には適宜な面積の粘着層（複数回粘着させることのできる弱粘着性接着剤層）を形成する。デザイン部２２は貼付部２１の一端が延伸して形成され、貼付部２１とは異なる形状の外縁部を有し、表面に異なる図案、または色を印刷する。
【００１０】
上述するそれぞれの部材を組み合わせることによって、Ｎ回貼付可能な付箋紙２を台紙１に収納した付箋セットを構成する。この考案の付箋セットは、折り畳んだ状態の台紙１の貼付領域を本、又はその他の物品に貼付することができる。付箋紙２を以って標示を行なう場合は、付箋紙２の貼付部２１上面の記入領域に記入を行ない、さらに記入した付箋紙２を台紙１の内側の面から剥がして背面を各種物品に粘着させる。よって、標示の作用が得られる。貼付部２１は光透過性の材質によってなるため、付箋紙２が粘着対象物を遮蔽しない。また、デザイン部２２を設けることによって付箋紙２はさらに好ましい外観が得られ、かつ注意喚起の効果が更に高まる。
【００１１】
この考案による付箋セットは、付箋紙２をＮ回貼付することができ、かつ付箋紙２を収納した台紙１も物品に貼付することができ、台紙１は広告やキャッチフレーズの印刷に供する表示領域を有し、実用性と宣伝効果とを兼ね備える。而も大量の外部の包装を必要とせず、簡易で少量の包装の目的を達成するものであり、このため環境保全の訴えにも叶うものであって、商品の販売促進を達成する利器である。
【００１２】
図４は、この考案による付箋セットの使用態様を示した説明図である。この考案による付箋の使用について、図２、図３を合わせ次のとおり説明する。即ち、この考案における台紙１は、剥離紙１２を剥がして、貼付領域１１を本（又はその他物品）に貼付することがでる。台紙１の折り畳んだ状態での外側の他の一面は広告やキャッチフレーズなどの印刷に供する表示領域とする。
【００１３】
また、台紙１は、付箋紙２１を取り出さないときは、折り畳んだ状態での内側の面の端縁部に形成した粘着領域によって折った台紙１を閉じて、暫時固定することができる。また、台紙１の折り畳んだ状態での外側の面の表示領域に広告やキャッチフレーズなどを印刷することによって広告、宣伝の効果が得られる。
【００１４】
付箋紙２を取り出して使用する場合は、折り畳んだ台紙１を開けて付箋紙２の記入面に記入（水性インクのペンで記入）を行ない、記入した付箋紙２を台紙１の内側の面から剥がして（デザイン部２２を指でつまみ、上方向に剥がす）、その背面を他の物品に粘着させることで、付箋紙２による標示の作用が得られる。この場合、付箋紙２の取り出しが便利である。
【００１５】
図５に、この考案における付箋紙２に印刷を施した例を開示する。図面に開示するように、この考案における付箋紙２の貼付部２１は光透過性の材質によってなり、上面は適宜な面積の記入領域とし、背面に粘着物を設けて適宜な面積の粘着層とする。デザイン部２２は貼付部２１の一端が延伸してなり、貼付２１とは異なる形状の外縁部を有するとともに、表面に図案、もしくは色を印刷する。実施例において貼付部は矩形の短冊状を呈し、デザイン部２２は規則的か、又は不規則な円弧状を呈し、特殊な形状として、その表面は異なる図案（実施例においては黄色いアヒルの図案であって、その色は少なくとも３から６色とする）を印刷する。よって、付箋紙２は、さらに好ましい外観を具えることになり、かつ特殊なデザインによって、付箋紙２１に記入した標示内容に対して注意を喚起する効果が得られる。
【００１６】
図６は、この考案における付箋紙２の使用態様を示した説明図である。図面に開示するように、付箋紙２は貼付部２１と、貼付部２１に連なるデザイン部２２とを含む。貼付部２１は光透過性の材質によってなり、上面は適宜な面積の記入領域となる。よって、記入領域に水性インクのペンで記入した後、各種物品（例えば、本のページの特に標示を要する位置など）に貼付する。その背面には弱粘着の材質による層を形成する。よって、繰り返し貼付して使用する（Ｎ回貼付可能）ことができる。
【００１７】
以上をまとめると、この考案は、貼付部２１及びデザイン部２２とを具え、かつ光透過性の材質によってなる付箋紙２と、付箋紙２を複数収納した台紙１とを含んでなり、台紙１は広告、又はキャッチフレーズなどの印刷に供する表示領域を具える。付箋紙２１は、Ｎ回繰り返して貼付でき、台紙１も物品に貼付することができる。よって、付箋紙２の取り出しが容易で、付箋紙２を各種物品に貼付して、標示の作用を得ることができる。而も、貼付対象物を遮蔽することがない。また、大量の外部の包装を必要とせず、簡易で少量の包装の目的を達成するものであり、このため環境保全の訴えにも叶うものであって、商品の販売促進を達成する利器である。
【００１８】
上述する実施例は、この考案の好ましい実施の形態を示したものであって、この考案の実施の範囲を限定するものではない。よって、この考案の精神の下においてなされた一部の修正などは、この考案の実用新案登録の範囲に含まれるものとする。
【符号の説明】
【００１９】
１    台紙
１１    貼付領域
１２    剥離紙
１３    粘着領域
２    付箋紙
２１    貼付部
２２    デザイン部
３    付箋紙
３１    貼付対象物
４    本
５    物品
【図１】
0003224818.tif 000003
【図２】
0003224818.tif 000004
【図３】
0003224818.tif 000005
【図４】
0003224818.tif 000006
【図５】
0003224818.tif 000007
【図６】
0003224818.tif 000008